【手続補正書】
【提出日】平成19年11月19日(2007.11.19)
【手続補正１】
【補正対象書類名】明細書
【補正対象項目名】特許請求の範囲
【補正方法】変更
【補正の内容】
【特許請求の範囲】
【請求項１】  各チャネルを表わす複数の入力信号が空間内のそれぞれ異なる位置から生じるように見えるようにする方法であって、前記方法は、
空間内の前記各位置に反射または共振面を設けるステップと、
空間内の前記位置から遠くに出力トランスジューサのアレイを設けるステップと、
前記出力トランスジューサのアレイを使用して、各チャネルの音波を空間内のそれぞれの位置へ指向させて前記音波が前記反射または共振面により再伝播されるようにするステップと、を含み、
前記指向させるステップは、
各トランスジューサについて、チャネルの音波が空間内のそのチャネルに関する位置へ向けられるように、各出力トランスジューサのアレイ内の位置および空間内の前記各位置に従って選択される各遅延だけ遅延された各入力信号の遅延されたレプリカを得るステップと、
各トランスジューサについて、各入力信号の各遅延されたレプリカを合計して出力信号を作り出すステップと、
出力信号を各トランスジューサへ送るステップと、
を含む方法。
【請求項２】  請求項１記載の方法であって、各出力トランスジューサについて、入力信号の遅延されたレプリカを得る前記ステップは、
前記入力信号を前記予め定められた回数だけ複写して各出力トランスジューサに関するレプリカ信号を得るステップと、
各出力トランスジューサのアレイ内の位置および空間内の前記各位置に従って選択される前記各遅延だけ前記入力信号の各レプリカを遅延させるステップと、
を含む方法。
【請求項３】  請求項１または２記載の方法であって、さらに、
各出力トランスジューサとその入力信号に関する空間内の位置との間の距離を求め、
信号チャネルに対する各トランスジューサからの音波が空間内の前記位置に同時に到達するように各遅延値を引出す、ことにより、
前記遅延ステップの前に、各入力信号レプリカに関する各遅延を計算するステップを含む方法。
【請求項４】  請求項１から３のいずれかに記載の方法であって、さらに、
前記複数の入力信号の中の一つを反転させるステップと、
各出力トランスジューサについて、前記反転された入力信号から引出された音波が空間内のその位置のその入力信号から引出された音波を少なくとも部分的にキャンセルするように空間内の位置へ向けられるように、各トランスジューサのアレイ内の位置に従って選択される各遅延だけ遅延された前記反転された入力信号の遅延されたレプリカを得るステップと、
を含む方法。
【請求項５】  請求項４記載の方法であって、各出力トランスジューサについて、前記反転された入力信号の遅延されたレプリカを得る前記ステップは、
前記反転された入力信号を前記予め定められた回数だけ複写して各出力トランスジューサに関するレプリカ信号を得るステップと、
各出力トランスジューサのアレイ内の位置に従って選択される各予め定められた遅延だけ前記反転された入力信号の各レプリカを遅延させるステップと、
を含む方法。
【請求項６】  請求項４または５記載の方法であって、前記反転された入力信号はそこから引出された音波が空間内の前記位置におけるその入力信号から引出された音波を実質的にキャンセルするようにスケーリングされる方法。
【請求項７】  請求項６記載の方法であって、前記スケーリングは、反転されている入力信号について、空間内の前記位置における音波の大きさを求め前記反転された入力信号から引出された音波がその位置における大きさと実質的に同じ大きさを有するように前記スケーリングを選択することにより選択される方法。
【請求項８】  請求項１から７のいずれかに記載の方法であって、前記表面の少なくとも一つは部屋その他の永久構造の壁により提供される方法。
【請求項９】  各チャネルを表わす複数の入力信号が空間内のそれぞれ異なる位置から生じるように見えるようにする装置であって、前記装置は、
空間内の前記各位置における音響反射または共振面と、
空間内の前記位置から遠い出力トランスジューサのアレイと、
前記出力トランスジューサのアレイを使用して、各チャネルの音波を空間内のそのチャネルのそれぞれの位置へ指向させて前記音波が前記反射または共振面により再伝播されるようにするコントローラと、を含み、
前記コントローラは、
各トランスジューサについて、チャネルの音波が空間内のその入力信号に関する位置へ向けられるように、各出力トランスジューサのアレイ内の位置および空間内の前記各位置に従って選択される各遅延だけ遅延された入力信号の遅延されたレプリカを得るようにされている複写および遅延手段と、
各トランスジューサについて、各入力信号の各遅延されたレプリカを合計して出力信号を作り出すようにされている加算器手段と、
チャネル音波がその入力信号に関する空間内の位置へ向けられるように出力信号を各トランスジューサへ送る手段と、
を含む装置。
【請求項１０】  請求項９記載の装置であって、前記コントローラは、さらに、
各出力トランスジューサとその入力信号に関する空間内の位置との間の距離を求め、
信号チャネルに対する各トランスジューサからの音波が空間内の前記位置に同時に到達するように各遅延値を引出す、ことにより、
各入力信号レプリカについて各遅延を計算する計算手段を含む装置。
【請求項１１】  請求項９または１０記載の装置であって、前記コントローラは、さらに、
前記複数の入力信号の中の一つを反転させるインバータと、
各出力トランスジューサについて、前記反転された入力信号から引出された音波が空間内の第２の位置の入力信号から引出された音波を少なくとも部分的にキャンセルするように空間内の前記第２の位置へむけられるように、各トランスジューサのアレイ内の位置および空間内の前記第２の位置に従って選択される各遅延だけ遅延された前記反転された入力信号の遅延されたレプリカを得るようにされている第２の複写および遅延手段と、
を含む装置。
【請求項１２】  請求項１１記載の装置であって、前記コントローラは、さらに、前記反転された入力信号から引出された音波が空間内の前記第２の位置の入力信号から引出された音波を実質的にキャンセルするように前記反転された入力信号をスケーリングするスケーラーを含む装置。
【請求項１３】  請求項９から１２のいずれかに記載の装置であって、前記表面は反射面でありそれが拡散反射したい音響周波数の波長程度の粗さを有する装置。
【請求項１４】  請求項９から１３のいずれかに記載の装置であって、前記表面は光学的に透明である装置。
【請求項１５】  請求項１０から１４のいずれかに記載の装置であって、前記表面の少なくとも一つは部屋その他永久構造の壁である装置。
【請求項１６】  出力トランスデューサのアレイを使用して信号から引き出された音波を指向させる方法であって、前記方法は、
各出力トランスデューサについて、前記信号から引き出された音波を前記方向へ向けるように、各トランスデューサのアレイ内の位置および与えられた方向に従って選択される各遅延だけ遅延される遅延レプリカを得るステップと、
遅延レプリカを各出力トランスデューサへ送るステップと、
を含む方法。
【請求項１７】  請求項１６に記載の方法であって、各出力トランスデューサについて、指向される前記信号の遅延されたレプリカを得る前記ステップは、
前記信号を前記予め定められた回数だけ複写して各出力トランスデューサに関するレプリカを得るステップと、
各出力トランスデューサのアレイ内の位置および前記方向に従って選択される前記各遅延だけ前記信号の各レプリカを遅延させるステップと、
を含む方法。
【請求項１８】  請求項１７に記載の方法であって、さらに、
各トランスデューサからの音波の同じ時間部分が前記方向に進む表面を一緒に形成するように、各トランスデューサへ送られるレプリカに対する各遅延を引き出すことにより、前記遅延ステップの前に、各レプリカに関する各遅延を計算するステップを含む方法。
【請求項１９】  請求項１７に記載の方法であって、さらに、
各出力トランスデューサと前記方向に位置する空間内の第１の位置との間の距離を求め、
指向される前記信号から引き出された各トランスデューサからの音波が空間内の前記位置に実質的に同時に到達するように各遅延を引き出す、ことにより、
前記遅延ステップの前に、各レプリカに関する各遅延を計算するステップを含む方法。
【請求項２０】  出力トランスデューサのアレイを使用してシミュレートされた原点を有する音場を形成する方法であって、前記方法は、
各出力トランスデューサについて、入力信号の遅延レプリカを得るステップであって、遅延レプリカは、実質的に前記シミュレートされた原点で生じるように見える音場を作り出すように各トランスデューサのアレイ内の位置およびシミュレートされた原点の位置に従って選択される各遅延だけ遅延されているステップと、
遅延レプリカを各出力トランスデューサへ送るステップと、
を含む方法。
【請求項２１】  請求項２０に記載の方法であって、各出力トランスデューサについて、前記入力信号の遅延レプリカを得る前記ステップは、
前記入力信号を前記予め定められた回数だけ複写して各出力トランスデューサに関するレプリカ信号を得るステップと、
各出力トランスデューサのアレイ内の位置および前記シミュレートされた原点に従って選択される前記各遅延だけ前記入力信号の各レプリカを遅延させるステップと、
を含む方法。
【請求項２２】  請求項２１に記載の方法であって、さらに、
各トランスデューサからの音波は信号がシミュレートされた原点からそのトランスデューサに達するのに要する時間だけ遅延されるように各遅延を引き出すことにより、前記遅延ステップの前に、各レプリカに関する各遅延を計算するステップを含む方法。
【請求項２３】  音波指向装置であって、前記装置は、
出力トランスデューサのアレイと、
各出力トランスデューサについて、前記信号から引き出された音波が実質的に前記方向へ向けられるように、各トランスデューサのアレイ内の位置および与えられた方向に従って選択される各遅延だけ遅延されている遅延レプリカを得るようにされた複写および遅延手段と、
遅延レプリカを各出力トランスデューサへ送る手段と、
を含む装置。
【請求項２４】  請求項２３に記載の装置であって、前記複写および遅延手段は、
前記信号を前記予め定められた回数だけ複写して各出力トランスデューサに関するレプリカ信号を得る手段と、
各出力トランスデューサのアレイ内の位置および前記方向に従って選択される前記各遅延だけ指向される前記信号の各レプリカを遅延させる手段と、
を含む装置。
【請求項２５】  請求項２４に記載の装置であって、さらに、
各トランスデューサからの音波の同じ時間部分が前記方向に進む表面を一緒に形成するように、各トランスデューサへ送られるレプリカに対する各遅延を引き出すことにより、前記遅延ステップの前に、各レプリカに関する各遅延を計算する手段を含む装置。
【請求項２６】  請求項２４に記載の装置であって、さらに、
各出力トランスデューサと前記方向に位置する空間内の第１の位置との間の距離を求め、
指向される前記信号から引き出された各トランスデューサからの音波が空間内の前記位置に実質的に同時に到達するように各遅延を引き出す、ことにより、
前記遅延ステップの前に、各レプリカに関する各遅延を計算する手段を含む装置。
【請求項２７】  シミュレートされた原点を有する音場を作り出す装置であって、前記装置は、
出力トランスデューサのアレイと、
各出力トランスデューサについて、入力信号の遅延レプリカを得るようにされた複写および遅延手段であって、遅延レプリカは、前記シミュレートされた原点で生じるように見える音場を作り出すように各トランスデューサのアレイ内の位置およびシミュレートされた原点の位置に従って選択される各遅延だけ遅延されている複写および遅延手段と、
遅延レプリカを各出力トランスデューサへ送る手段と、
を含む装置。
【請求項２８】  請求項２７に記載の装置であって、前記複写および遅延手段は、
前記入力信号を前記予め定められた回数だけ複写して各出力トランスデューサに関するレプリカ信号を得る手段と、
各出力トランスデューサのアレイ内の位置およびシミュレートされた原点に従って選択される前記各遅延だけ前記入力信号の各レプリカを遅延させる手段と、
を含む装置。
【請求項２９】  請求項２８に記載の装置であって、さらに、各トランスデューサからの音波は信号がシミュレートされた原点からそのトランスデューサへ達するのに要する時間だけ遅延されるように各遅延を引き出すことにより、前記遅延ステップの前に、各レプリカに関する各遅延を計算する手段を含む装置。
【請求項３０】  出力トランスデューサのアレイを使用して信号から引き出された音波をヌル位置でキャンセルする方法であって、前記方法は、
各出力トランスデューサについて、キャンセルされる信号の遅延レプリカを得るステップであって、遅延レプリカは各トランスデューサのアレイ内の位置およびヌル位置に従って選択される各遅延だけ遅延されているステップと、
前記各遅延レプリカ信号をスケーリングおよび反転するステップと、
スケーリングおよび反転された遅延レプリカを、前記ヌル位置における音場を少なくとも部分的にキャンセルするように、各出力トランスデューサへ送るステップと、
を含む方法。
【請求項３１】  請求項３０に記載の方法であって、各出力トランスデューサについて、キャンセルされる前記信号の遅延レプリカを得る前記ステップは、
前記キャンセルされる信号を前記予め定められた回数だけ複写して各出力トランスデューサに関するレプリカ信号を得るステップと、
各出力トランスデューサのアレイ内の位置およびヌル位置に従って選択される前記各遅延だけ前記キャンセルされる信号の各レプリカを遅延させるステップと、
を含む方法。
【請求項３２】  請求項３０または３１に記載の方法であって、前記スケーリングおよび／または前記反転は任意の遅延レプリカがそこから得られる前にキャンセルされる信号に実施される方法。
【請求項３３】  請求項３０から３２のいずれか一項に記載の方法であって、前記キャンセルされる信号は前記アレイの出力トランスデューサにも供給される方法。
【請求項３４】  請求項３３に記載の方法であって、さらに、
各トランスデューサについて、キャンセルされる信号の遅延レプリカを得るステップであって、遅延レプリカは各トランスデューサのアレイ内の位置に従って選択される各遅延だけ遅延されているステップと、
各出力トランスデューサについて、反転されスケーリングされた各遅延レプリカと各遅延レプリカを合計して出力信号を得るステップと、
各出力信号をその各トランスデューサへ送るステップと、
を含む方法。
【請求項３５】  請求項３４に記載の方法であって、各出力トランスデューサについて、キャンセルされる前記信号の遅延レプリカを得る前記ステップは、
前記キャンセルされる信号を前記予め定められた回数だけ複写して各出力トランスデューサに関するレプリカ信号を得るステップと、
各出力トランスデューサのアレイ内の位置およびヌル位置に従って選択される各予め定められた遅延だけ前記キャンセルされる信号の各レプリカを遅延させるステップと、
を含む方法。
【請求項３６】  請求項３０から３２のいずれか一項に記載の方法であって、前記キャンセルされる信号は出力トランスデューサの前記アレイの一部ではない１つ以上の出力トランスデューサに供給される方法。
【請求項３７】  請求項３０から３２のいずれか一項に記載の方法であって、前記スケーリングは前記反転されスケーリングされたキャンセルされる信号から引き出される出力トランスデューサの前記アレイからの音波が前記ヌル位置においてキャンセルされる前記信号から引き出される音波と実質的に同じ大きさを有するように選択される方法。
【請求項３８】  請求項３０から３７のいずれか一項に記載の方法であって、前記キャンセルされる信号は前記ヌル位置に配置された入力トランスデューサにより検出される方法。
【請求項３９】  請求項３８に記載の方法であって、前記入力トランスデューサは移動可能であり前記ヌル位置は前記入力トランスデューサの位置を追跡して前記ヌル位置における音場に関する負帰還ループを作り出すように選択される方法。
【請求項４０】  ヌル位置における音波をキャンセルする装置であって、前記装置は、
出力トランスデューサのアレイと、
各出力トランスデューサについて、キャンセルされる信号の遅延レプリカを得るようにされた複写および遅延手段であって、遅延レプリカは各トランスデューサのアレイ内の位置およびヌル位置に従って選択される各遅延だけ遅延されている複写および遅延手段と、
前記各遅延レプリカ信号をスケーリングおよび反転するスケーラ手段およびインバータ手段と、
前記ヌル位置における音場を少なくとも部分的にキャンセルするようにスケーリングされ反転された遅延レプリカを各出力トランスデューサへ送る手段と、
を含む装置。
【請求項４１】  請求項４０に記載の装置であって、前記スケーラ手段および／または前記インバータ手段は前記複写および遅延手段の前に配置される装置。
【請求項４２】  請求項４０または４１に記載の装置であって、さらに、前記キャンセルされる信号を前記アレイの出力トランスデューサへ送る手段を含む装置。
【請求項４３】  請求項４２に記載の装置であって、さらに、
各トランスデューサについて、キャンセルされる信号の遅延レプリカを得るようにされた第２の複写および遅延手段であって、遅延レプリカは各トランスデューサのアレイ内の位置に従って選択される各遅延だけ遅延されている第２の複写および遅延手段と、
各出力トランスデューサについて、反転されスケーリングされた各遅延レプリカと各遅延レプリカを合計して出力信号を得る加算器と、
各出力信号をその各トランスデューサへ送る手段と、
を含む装置。
【請求項４４】  請求項４０または４１に記載の装置であって、さらに、前記キャンセルされる信号を出力する出力トランスデューサの前記アレイの一部ではない１つ以上の出力トランスデューサを含む装置。
【請求項４５】  請求項４０から４４のいずれか一項に記載の装置であって、前記スケーラは前記反転されスケーリングされたキャンセルされた信号を表す出力トランスデューサの前記アレイからの音波が前記ヌル位置においてキャンセルされる前記信号を表す音波と実質的に同じ大きさを有するようにスケールファクタを適用するようにされる装置。
【請求項４６】  請求項４０から４６のいずれか一項に記載の装置であって、さらに、前記キャンセルされる信号を検出するように前記ヌル位置に配置された入力トランスデューサを含む装置。
【請求項４７】  請求項４６に記載の装置であって、前記入力トランスデューサは移動可能であり、前記遅延手段は前記ヌル位置における音場に関する負帰還ループを作り出すように前記入力トランスデューサの位置をヌル位置が追跡するように各遅延を選択する装置。
【請求項４８】  出力トランスデューサのアレイ近辺の入力トランスデューサの位置を検出する方法であって、前記方法は、
前記アレイの少なくとも３つの出力トランスデューサから区別できる各音響テスト信号を出力するステップと、
前記各テスト信号を前記入力トランスデューサにおいて受信するステップと、
各テスト信号の出力と入力トランスデューサにおけるその受信との間の時間を検出するステップと、
前記検出された時間を使用して前記入力トランスデューサの見かけの位置を三角測量により計算するステップと、
を含む方法。
【請求項４９】  請求項４８に記載の方法であって、
前記区別できる各音響テスト信号は少なくとも４つの出力トランスデューサから出力され、
検出された時間を使用して、前記入力トランスデューサの見かけの位置だけでなく、平均音速値が計算される、方法。
【請求項５０】  請求項４８または４９に記載の方法であって、前記計算は、
変数よりも多くの連立方程式を形成するステップと、
これらの連立方程式を解いて全体最小誤差を与える変数値を見つけるステップと、
を含む方法。
【請求項５１】  請求項４８から５０のいずれか一項に記載の方法であって、さらに、
音響テスト信号を出力するトランスデューサ以外の一群のトランスデューサを使用して入力信号を出力するステップを含む方法。
【請求項５２】  請求項４８から５１のいずれか一項に記載の方法であって、さらに、
各音響テスト信号へ入力信号を加えることにより前記少なくとも３つの出力トランスデューサから入力信号を出力するステップを含む方法。
【請求項５３】  請求項５１または５２に記載の方法であって、前記入力信号は前記入力トランスデューサにより検出される信号である方法。
【請求項５４】  請求項５３に記載の方法であって、さらに、
前記アレイの各出力トランスデューサについて、各トランスデューサのアレイ内の位置および前記入力トランスデューサの検出された位置に従って選択される各遅延だけ遅延された入力信号の遅延レプリカを得るステップと、
前記入力信号の前記遅延レプリカをスケーリングおよび反転するステップと、
入力信号の前記スケーリングされ反転された遅延レプリカを、前記入力信号から引き出される音波が前記入力トランスデューサの位置において実質的にキャンセルされるように、各出力トランスデューサへ送るステップと、
を含む方法。
【請求項５５】  請求項５４に記載の方法であって、アレイの各出力トランスデューサについて、入力信号の遅延レプリカを得る前記ステップは、
前記入力信号を前記予め定められた回数だけ複写して各出力トランスデューサに関するレプリカ信号を得るステップと、
各出力トランスデューサのアレイ内の位置および前記入力トランスデューサの検出された位置に従って選択される前記各遅延だけ前記入力信号の各レプリカを遅延させるステップと、
を含む方法。
【請求項５６】  請求項５４または５５に記載の方法であって、前記テスト信号から引き出された音波は前記入力トランスデューサの位置においてキャンセルされない方法。
【請求項５７】  請求項５４から５６のいずれか一項に記載の方法であって、前記スケーリングおよび反転は前記遅延レプリカが生成される前に前記入力信号に実施される方法。
【請求項５８】  請求項５１から５３のいずれか一項に記載の方法であって、
前記アレイの各出力トランスデューサについて、前記入力信号から引き出された音波を前記入力トランスデューサの検出された位置へ向けるように、各出力トランスデューサのアレイ内の位置および前記入力トランスデューサの検出された位置に従って選択される各遅延だけ遅延された入力信号の遅延レプリカを得るステップと、
入力信号の遅延レプリカを各出力トランスデューサへ送るステップと、
を含む方法。
【請求項５９】  請求項５８に記載の方法であって、アレイの各出力トランスデューサについて、入力信号の遅延レプリカを得る前記ステップは、
前記入力信号を前記予め定められた回数だけ複写して各出力トランスデューサに関するレプリカ信号を得るステップと、
各出力トランスデューサのアレイ内の位置および前記入力トランスデューサの検出された位置に従って選択される前記各遅延だけ前記入力信号の各レプリカを遅延させるステップと、
を含む方法。
【請求項６０】  請求項５８または５９に記載の方法であって、たとえ風その他の予測不能な混乱状態下であっても音波は前記入力トランスデューサへ向けられるように前記各遅延が選択される方法。
【請求項６１】  請求項４８から６０のいずれか一項に記載の方法であって、さらに、
前記出力トランスデューサの前記検出された見かけの位置および前記入力トランスデューサの既知の位置から風ベクトルを計算するステップを含む方法。
【請求項６２】  請求項６１に記載の方法であって、前記計算された風ベクトルは入力信号レプリカの遅延を調節して風にもかかわらず所望の動作を保証するのに使用される方法。
【請求項６３】  請求項４８から６２のいずれか一項に記載の方法であって、各出力トランスデューサは順番にテスト信号を出力する方法。
【請求項６４】  請求項４８から６２のいずれか一項に記載の方法であって、各出力トランスデューサは区別できるテスト信号を同時に発する方法。
【請求項６５】  請求項６３または６４に記載の方法であって、前記テスト信号は相関関数を使用して区別できる一組の独立した擬似ランダム・ノイズ信号を含む方法。
【請求項６６】  請求項６３から６５のいずれか一項に記載の方法であって、前記テスト信号は成形された周波数スペクトルを有する方法。
【請求項６７】  請求項６６に記載の方法であって、前記周波数スペクトルは音声帯域の低可聴周波数に電力が配置されるように成形される方法。
【請求項６８】  請求項６６または６７に記載の方法であって、前記周波数スペクトルは前記テスト信号が出力トランスデューサへ送られる信号によりマスクされるように成形される方法。
【請求項６９】  請求項４８から６８のいずれか一項に記載の方法であって、前記入力トランスデューサは出力トランスデューサの動作を遠隔制御するように動作できるハンドヘルドリモートコントロール内に配置される方法。
【請求項７０】  入力トランスデューサのアレイの近くに位置する出力トランスデューサの位置を検出する方法であって、前記方法は、
前記出力トランスデューサから音響テスト信号を出力するステップと、
前記アレイ内の少なくとも３つの入力トランスデューサにおいて前記テスト信号を受信するステップと、
前記テスト信号の出力と各入力トランスデューサにおけるその受信との間の時間を検出するステップと、
前記検出された時間を使用して前記出力トランスデューサの見かけの位置を三角測量により計算するステップと、
を含む方法。
【請求項７１】  請求項７０に記載の方法であって、
前記テスト信号はアレイ内の第４の入力トランスデューサにおいて受信され、
検出された時間は、三角測量による前記出力トランスデューサの見かけの位置だけでなく、平均音速値を計算するのに使用される方法。
【請求項７２】  請求項７０または７１に記載の方法であって、前記計算は、
変数よりも多くの連立方程式を形成するステップと、
これらの連立方程式を解いて全体最小誤差を与える変数値を見つけるステップと、
を含む方法。
【請求項７３】  請求項７０から７２のいずれか一項に記載の方法であって、さらに、
アレイの各入力トランスデューサにおける入力信号を受信するステップと、
前記アレイの各入力トランスデューサについて、各入力トランスデューサのアレイ内の位置および前記出力トランスデューサの検出された位置に従って選択される各遅延だけ遅延された遅延入力信号を得るステップと、
前記各遅延入力信号を合計して出力信号を得るステップと、
を含む方法。
【請求項７４】  請求項７３に記載の方法であって、さらに、
前記出力信号をスケーリングしてヌリングを最適化するように前記出力信号の大きさをほぼ前記アレイ内の入力トランスデューサ数で除算するステップと、
前記アレイ内の各入力トランスデューサについて、各入力信号に適用された各遅延と同じ時間量として選択される各進みだけ進められたスケーリングされた出力信号を得るステップと、
各入力トランスデューサについて、各入力信号から各進められスケーリングされた出力信号を減じて前記出力トランスデューサの位置から生じる音波には少ないウェイトを与えるように調節された一組の入力信号を得るステップと、
を含む方法。
【請求項７５】  請求項７３または７４に記載の方法であって、前記テスト信号は前記遅延入力信号が得られる前に前記受信した入力信号から減じられる方法。
【請求項７６】  請求項７０から７５のいずれか一項に記載の方法であって、前記各テスト信号は擬似ランダム・ノイズ信号を含む方法。
【請求項７７】  出力トランスデューサのアレイの近くに位置する入力トランスデューサの位置を検出するように動作する装置であって、前記装置は、
出力トランスデューサのアレイと、
入力トランスデューサと、
出力トランスデューサの前記アレイおよび前記入力トランスデューサに接続されたコントローラであって、前記コントローラは前記出力トランスデューサの少なくとも３つに各区別できる音響テスト信号を送り、前記入力トランスデューサの見かけの位置を三角測量により計算するように各テスト信号の出力と入力トランスデューサにおけるその受信との間の時間を検出するようにされているコントローラと、
を含む装置。
【請求項７８】  請求項７７に記載の方法であって、
前記コントローラは区別できる各音響テスト信号を少なくとも４つの出力トランスデューサへ送るようにされており、
検出された時間は前記入力トランスデューサの見かけの位置を三角測量により計算するだけでなく、平均音速値を計算するのに使用される方法。
【請求項７９】  請求項７７または７８に記載の方法であって、前記コントローラは、さらに、音響テスト信号を出力するトランスデューサ以外の一群のトランスデューサからの入力信号を出力するようにされている装置。
【請求項８０】  請求項７７から７９のいずれか一項に記載の装置であって、前記コントローラは、さらに、それを各音響テスト信号へ加えることにより前記少なくとも３つの出力トランスデューサからの入力信号を出力するようにされている装置。
【請求項８１】  請求項７９または８０に記載の装置であって、さらに、
前記アレイの各出力トランスデューサについて、各出力トランスデューサのアレイ内の位置および前記入力トランスデューサの検出された位置に従って選択される各遅延だけ遅延された入力信号の遅延レプリカを得る複写および遅延手段と、
前記入力信号の前記遅延レプリカをスケーリングおよび反転するスケーラ手段およびインバータ手段と、
前記入力信号から引き出された音波が前記入力トランスデューサの位置において少なくとも部分的にキャンセルされるように入力信号の前記スケーリングされ反転された遅延レプリカを各出力トランスデューサへ送る手段と、
を含む装置。
【請求項８２】  請求項８１に記載の装置であって、前記入力信号は前記入力トランスデューサにおいて検出された信号から引き出され、前記コントローラは、さらに、前記テスト信号から引き出された音波が前記入力トランスデューサの位置においてキャンセルされないように各入力信号から音響テスト信号を減じるようにされている装置。
【請求項８３】  請求項８１または８２に記載の装置であって、前記スケーラ手段および／または前記インバータ手段は前記入力信号を複写および遅延される前にスケーリングおよび反転するように前記複写および遅延手段の前に配置される装置。
【請求項８４】  請求項７９または８１に記載の装置であって、さらに、
前記アレイの各出力トランスデューサについて、前記入力信号から引き出された音波を前記入力トランスデューサの検出された位置へ向けるように、各出力トランスデューサのアレイ内の位置および前記入力トランスデューサの検出された位置に従って選択される各遅延だけ遅延された入力信号の遅延レプリカを得る第２の複写および遅延手段と、
入力信号の遅延レプリカを各出力トランスデューサへ送る手段と、
を含む装置。
【請求項８５】  請求項７７から８４のいずれか一項に記載の装置であって、前記入力トランスデューサは出力トランスデューサの動作を遠隔制御するように動作するハンドヘルド・リモートコントロール内に配置される装置。
【請求項８６】  請求項７７から８５のいずれか一項に記載の方法であって、前記入力トランスデューサは出力トランスデューサのアレイの近辺内で移動性であり、コントローラは入力トランスデューサが移動する時にその位置を追跡するように動作する装置。
【請求項８７】  請求項７７から８６のいずれか一項に記載の方法であって、前記入力トランスデューサは赤外リンクを介して前記コントローラに接続されている装置。
【請求項８８】  請求項７７から８７のいずれか一項に記載の装置であって、さらに、
前記入力トランスデューサの前記検出された見かけの位置および前記入力トランスデューサの既知の位置から風ベクトルを計算する手段を含む装置。
【請求項８９】  請求項８８に記載の装置であって、前記計算された風ベクトルは入力信号レプリカの遅延を調節して風にもかかわらず所望の動作を保証するのに使用される装置。
【請求項９０】  請求項７７から８９のいずれか一項に記載の装置であって、さらに、各出力トランスデューサに順番にテスト信号を出力させる手段を含む装置。
【請求項９１】  請求項７７から８９のいずれか一項に記載の装置であって、さらに、各出力トランスデューサに区別できるテスト信号を同時に出力させる手段を含む装置。
【請求項９２】  請求項９０または９１に記載の装置であって、前記テスト信号は相関関数を使用して区別できる一組の独立した擬似ランダム・ノイズ信号を含む装置。
【請求項９３】  請求項９０から９２のいずれか一項に記載の装置であって、前記テスト信号は成形された周波数スペクトルを有する装置。
【請求項９４】  請求項９３に記載の装置であって、前記周波数スペクトルは音声帯域の低可聴周波数に電力が配置されるように成形される装置。
【請求項９５】  請求項９３または９４に記載の装置であって、前記周波数スペクトルは前記テスト信号が出力トランスデューサへ送られる信号によりマスクされるように成形される装置。
【請求項９６】  入力トランスデューサのアレイの近くに位置する出力トランスデューサの位置を検出するように動作する装置であって、前記装置は、
入力トランスデューサのアレイと、
出力トランスデューサと、
入力トランスデューサの前記アレイおよび前記出力トランスデューサに接続されたコントローラであって、前記コントローラは前記出力トランスデューサへ音響テスト信号を送り前記テスト信号の出力と少なくとも３つの前記入力トランスデューサにおけるその受信との間の時間を検出して前記入力トランスデューサの見かけの位置を三角測量により計算するようにされているコントローラと、
を含む装置。
【請求項９７】  請求項９６に記載の装置であって、
前記テスト信号はアレイ内の第４の入力トランスデューサにおいて受信され、
検出された時間は前記出力トランスデューサの見かけの位置を三角測量により計算するだけでなく、平均音速値を計算するのに使用される装置。
【請求項９８】  請求項９６または９７に記載の装置であって、入力トランスデューサの前記アレイの各入力トランスデューサが各入力信号を受信し、装置は、さらに、
前記アレイの各入力トランスデューサについて、各入力トランスデューサのアレイ内の位置および前記出力トランスデューサの検出された位置に従って選択される各遅延だけ遅延された遅延入力信号を得る複写および遅延手段と、
前記遅延入力信号の各々を合計して出力信号を得る加算器と、
を含む装置。
【請求項９９】  請求項９８に記載の装置であって、さらに、
前記出力信号をスケーリングするように前記出力信号の大きさを前記アレイ内の入力トランスデューサ数で除算する除算器手段と、
前記アレイ内の各入力トランスデューサについて、各入力信号に適用された各遅延と同じ時間量として選択される各進みだけ進められたスケーリングされた進み出力信号を得る複写および進み手段と、
各入力トランスデューサについて、各入力信号からスケーリングされた各進み出力信号を減じて前記出力トランスデューサの位置から生じる音波には少ないウェイトを与えるように調節された一組の入力信号を得る減算器手段と、
を含む装置。
【請求項１００】  請求項９８または９９に記載の装置であって、さらに、前記遅延入力信号が得られる前に前記受信した入力信号から前記テスト信号を除算する第２の除算器を含む装置。
【請求項１０１】  請求項３３から４０のいずれか一項に記載の装置であって、空間内の前記各位置は請求項４８から６９のいずれか一項に記載の方法を使用して決定される方法。
【請求項１０２】  請求項３５に記載の方法または請求項４２に記載の装置であって、音速値は請求項４９に記載の方法を使用して得られる方法または装置。
【請求項１０３】  出力トランスデューサのアレイを使用して音波を伝達する方法であって、前記方法は、
入力信号を少なくとも２つの周波数帯域に分周するステップと、
出力トランスデューサの前記アレイの各出力トランスデューサについて、前記入力信号の第１の帯域から引き出された音場が所望の方法で成形されるように各出力トランスデューサのアレイ内の位置に従って選択される各遅延だけ遅延された入力信号の第１帯域の遅延レプリカを得るステップと、
各出力トランスデューサについて、入力信号の第２帯域のレプリカを得るステップと、
前記第１および第２の帯域の各レプリカを合計して各トランスデューサに関する各出力信号を生成するステップと、
を含む方法。
【請求項１０４】  請求項１０３に記載の方法であって、アレイの各出力トランスデューサについて、入力信号の第１帯域の遅延レプリカを得る前記ステップは、
前記入力信号の前記第１帯域を前記予め定められた回数だけ複写して各出力トランスデューサに関するレプリカ信号を得るステップと、
各出力トランスデューサのアレイ内の位置および前記第１の選択された方向に従って選択される予め定められた各遅延だけ前記入力信号の前記第１帯域の各レプリカを遅延させるステップと、
を含む方法。
【請求項１０５】  請求項１０３または１０４に記載の方法であって、前記遅延は前記入力信号の第１帯域から引き出される音波が前記第１の方向へ向けられるように第１の選択された方向に従って得られる方法。
【請求項１０６】  請求項１０３または１０４に記載の方法であって、前記遅延は音場がシミュレートされた原点から生じるように見えるようにシミュレートされた原点に従って得られる方法。
【請求項１０７】  請求項１０３から１０６のいずれか一項に記載の装置であって、さらに、
各出力トランスデューサについて、前記入力信号の前記第２帯域から引き出された音波が前記第１の方向とは異なる前記第２の方向へ向けられるように、各出力トランスデューサのアレイ内の位置および第２の選択された位置に従って選択される各遅延だけ遅延された入力信号の前記第２帯域の遅延レプリカを得るステップを含む方法。
【請求項１０８】  請求項１０７に記載の方法であって、アレイの各出力トランスデューサについて、入力信号の第２帯域の遅延レプリカを得る前記ステップは、
前記入力信号の前記第２帯域を前記予め定められた回数だけ複写して各出力トランスデューサに関するレプリカ信号を得るステップと、
各出力トランスデューサのアレイ内の位置および前記第２の選択された方向に従って選択される予め定められた各遅延だけ前記入力信号の前記第２帯域の各レプリカを遅延させるステップと、
を含む方法。
【請求項１０９】  請求項１０３に記載の方法であって、入力信号の前記第２帯域の各レプリカに遅延は加えられないか、または、一定の遅延が加えられる方法。
【請求項１１０】  出力トランスデューサのアレイを使用して音波を伝達する方法であって、前記方法は、
入力信号を少なくとも２つの周波数帯域に分周するステップと、
出力トランスデューサの前記アレイの各出力トランスデューサについて、各出力トランスデューサのアレイ内の位置および第１の選択された方向に従って選択される各遅延だけ遅延された入力信号の第１帯域の遅延レプリカを得るステップと、
前記入力信号の前記第１帯域の前記遅延レプリカをスケーリングし反転するステップと、
各出力トランスデューサについて、入力信号の第２帯域のレプリカを得るステップと、
前記第１および第２の帯域の各レプリカを合計して各トランスデューサに関する各出力信号を生成するステップと、
前記入力信号の第１帯域から引き出された音波が特定の方向で少なくとも部分的にキャンセルされるように前記出力信号を各トランスデューサへ送るステップと、
を含む方法。
【請求項１１１】  請求項１１０に記載の方法であって、アレイの各出力トランスデューサについて、入力信号の第１帯域の遅延レプリカを得る前記ステップは、
前記入力信号の前記第１帯域を前記予め定められた回数だけ複写して各出力トランスデューサに関するレプリカ信号を得るステップと、
各出力トランスデューサのアレイ内の位置および第１の選択された方向に従って選択される予め定められた各遅延だけ前記入力信号の前記第１帯域の各レプリカを遅延させるステップと、
を含む方法。
【請求項１１２】  請求項１１０または１１１に記載の方法であって、前記スケーリングおよび／または前記反転は任意の遅延レプリカがそこから得られる前にキャンセルされる信号に実施される方法。
【請求項１１３】  請求項１１０から１１２のいずれか一項に記載の方法であって、前記周波数分割ステップおよび前記得る（ｏｂｔａｉｎｉｎｇ）ステップは遅延を有する前記第１帯域だけを通すような帯域特性を有するフィルタにより同時に実施される方法。
【請求項１１４】  請求項１０３から１１３のいずれか一項に記載の方法であって、前記第１帯域は前記第２の帯域よりも高い前記入力信号の周波数帯域を表す方法。
【請求項１１５】  音波を伝達する装置であって、
出力トランスデューサのアレイと、
入力信号を少なくとも２つの周波数帯域へ分割する分周器手段と、
出力トランスデューサの前記アレイの各出力トランスデューサについて、各出力トランスデューサのアレイ内の位置に従って選択される各遅延だけ遅延された入力信号の第１帯域の遅延レプリカを得る複写および遅延手段と、を含み、
前記複写および遅延手段は、さらに、各出力トランスデューサについて入力信号の第２帯域の遅延レプリカを得るようにされており、さらに、
前記第１および第２帯域の各レプリカを合計して各トランスデューサに関する各出力信号を生成する加算器と、
前記出力信号を各トランスデューサへ送る手段と、
を含む装置。
【請求項１１６】  請求項１１５に記載の装置であって、前記遅延レプリカは前記入力信号の第１帯域から引き出される音波が前記第１の方向へ向けられるように第１の選択された方向に従って得られる装置。
【請求項１１７】  請求項１１５に記載の装置であって、前記遅延レプリカは音場がシミュレートされた原点から生じるように見えるようにシミュレートされた原点に従って得られる装置。
【請求項１１８】  請求項１１５から１１７のいずれか一項に記載の装置であって、前記複写および遅延手段は、各出力トランスデューサについて、前記入力信号の前記第２帯域から引き出される音波が前記第１の方向とは異なる第２の方向へ向けられるように各出力トランスデューサのアレイ内の位置および前記第２の選択された方向に従って選択される各遅延だけ遅延された入力信号の前記第２帯域の遅延レプリカを得るようにされている装置。
【請求項１１９】  請求項１１５に記載の装置であって、前記レプリケータおよび遅延手段は入力信号の前記第２帯域の各レプリカに遅延を加えないか、または、一定の遅延を加えるようにされている装置。
【請求項１２０】  音波を伝達する装置であって、
出力トランスデューサのアレイと、
入力信号を少なくとも２つの周波数帯域へ分周する分周器手段と、
出力トランスデューサの前記アレイの各出力トランスデューサについて、各出力トランスデューサのアレイ内の位置および第１の選択された方向に従って選択される各遅延だけ遅延された入力信号の第１帯域の遅延レプリカを得る複写および遅延手段と、
前記入力信号の前記第１帯域の前記遅延レプリカをスケーリングおよび反転するスケーラ手段およびインバータ手段と、を含み、
前記レプリケータおよび遅延手段は、さらに、各出力トランスデューサについて入力信号の第２帯域のレプリカを得るようにされており、さらに、
前記第１および第２帯域の各レプリカを合計して各トランスデューサに関する各出力信号を生成する加算器と、
前記入力信号の第１帯域から引き出された音波が特定の方向で少なくとも部分的にキャンセルされるように前記出力信号を各トランスデューサへ送る手段と、
を含む装置。
【請求項１２１】  請求項１２０に記載の装置であって、前記スケーラ手段および／または前記インバータ手段は前記複写および遅延手段の前に配置されている装置。
【請求項１２２】  請求項１２０または１２１に記載の装置であって、前記分周器手段および前記遅延手段は遅延を有する前記第１帯域だけを通すフィルタを含む装置。
【請求項１２３】  請求項１１５から１２２のいずれか一項に記載の装置であって、前記第１帯域は前記第２帯域よりも高い前記入力信号の周波数帯域を表す装置。
【請求項１２４】  音の焦点位置を表示する方法であって、前記方法は、
空間内の第１の位置においてビームが交差するように別々のソースから光の第１のビームを第１の方向に照光し光の第２のビームを第２の方向に照光するステップと、
第１の入力信号から引き出された第１の音波を空間内の前記第１の位置に集中させるステップと、
を含む方法。
【請求項１２５】  請求項１２４に記載の方法であって、前記光の第１のビームは前記光の第２のビームとは異なる色である方法。
【請求項１２６】  請求項１２４または１２５に記載の方法であって、前記集中ステップは、
出力トランスデューサのアレイの各出力トランスデューサについて、各出力トランスデューサのアレイ内の位置および前記第１および第２の方向に従って選択される各遅延だけ遅延された第１の入力信号の遅延レプリカを得るステップと、
第１の入力信号の前記遅延レプリカを各トランスデューサへ送るステップと、
を含む方法。
【請求項１２７】  請求項１２６に記載の方法であって、アレイの各出力トランスデューサについて、第１の入力信号の遅延レプリカを得る前記ステップは、
前記第１の入力信号を前記予め定められた回数だけ複写して各出力トランスデューサに関するレプリカ信号を得るステップと、
各出力トランスデューサのアレイ内の位置および前記第１および第２の方向に従って選択される予め定められた各遅延だけ前記第１の入力信号の各レプリカを遅延させるステップと、
を含む方法。
【請求項１２８】  請求項１２６または１２７に記載の方法であって、各トランスデューサへ送られる第１の入力信号の遅延は前記第１の音波が遅延を有するアレイ内の各トランスデューサから出力されて前記第１の音波を空間内の前記第１の位置へ同時に到着させるように変えられる方法。
【請求項１２９】  請求項１２６から１２８のいずれか一項に記載の装置であって、さらに、
空間内の第２の位置においてビームが交差するように別々のソースから光の第３のビームを第３の方向に照光し光の第４のビームを第４の方向に照光するステップと、
第２の入力信号から引き出された第２の音波を空間内の前記第２の位置に集中させるステップと、を含み、
前記集中ステップは、
出力トランスデューサの前記アレイの各出力トランスデューサについて、各出力トランスデューサのアレイ内の位置および前記第３および第４の方向に従って選択される各遅延だけ遅延された第２の入力信号の遅延レプリカを得るステップを含み、
前記送る（ｒｏｕｔｉｎｇ）ステップは、
各出力トランスデューサについて、第１の入力信号の各遅延レプリカと第２の入力信号の各遅延レプリカを合計して出力信号を生成するステップにより置換され、さらに、
前記出力信号を各トランスデューサへ送るステップを含む方法。
【請求項１３０】  請求項１２９に記載の方法であって、アレイの各出力トランスデューサについて、第２の入力信号の遅延レプリカを得る前記ステップは、
前記第２の入力信号を前記予め定められた回数だけ複写して各出力トランスデューサに関するレプリカ信号を得るステップと、
各出力トランスデューサのアレイ内の位置および前記第３および第４の方向に従って選択される予め定められた各遅延だけ前記入力信号の各レプリカを遅延させるステップと、
を含む方法。
【請求項１３１】  音波がどこに集中されるかをユーザが選択できるようにする装置であって、前記装置は、
第１の入力信号を受信して前記第１の入力信号から引き出された音波を出力するようにされた少なくとも１つの出力トランスデューサと、
第１の光ビームを選択可能な第１の方向へ照光する第１の光源と、
第２の光ビームを選択可能な第２の方向へ照光する第２の光源と、
前記出力トランスデューサおよび前記第１および第２の光源に接続されたコントローラであって、前記コントローラはユーザ選定に従って前記第１および第２の方向を制御しかつ前記少なくとも１つの出力トランスデューサを制御して前記第１の入力信号から引き出された音波は前記光ビームが交差する空間内の第１の位置に集中されるようにするコントローラと、
を含む装置。
【請求項１３２】  請求項１３１に記載の装置であって、前記第１の光源は前記第２の光源とは異なる色の光を発する装置。
【請求項１３３】  請求項１３１または１３２に記載の装置であって、前記少なくとも１つの出力トランスデューサは出力トランスデューサのアレイを含み、前記コントローラは、さらに、
出力トランスデューサの前記アレイの各出力トランスデューサについて、各出力トランスデューサのアレイ内の位置および前記第１および第２の方向に従って選択される各遅延だけ遅延された第１の入力信号の遅延レプリカを得る複写および遅延手段と、
第１の入力信号の前記遅延レプリカを各トランスデューサへ送る手段と、
を含む装置。
【請求項１３４】  請求項１３３に記載の装置であって、前記遅延手段は前記第１の音波が遅延を有してアレイ内の各トランスデューサから出力されて前記第１の音波が空間内の前記第１の位置へ同時に到着するように各トランスデューサへ送られる第１の入力信号の遅延を変える方法。
【請求項１３５】  請求項１３３または１３４に記載の装置であって、さらに、
第３の光ビームを選択可能な第３の方向へ照光する第３の光源と、
第４の光ビームを選択可能な第４の方向へ照光する第４の光源と、を含み、
第２の入力信号から引き出された第２の音波を空間内の前記第２の位置に集中させ、
前記複写および遅延手段は、さらに、出力トランスデューサの前記アレイの各出力トランスデューサについて、各出力トランスデューサのアレイ内の位置および前記第３および第４の方向に従って選択される各遅延だけ遅延された第２の入力信号の遅延レプリカを得るようにされており、
前記送る手段は、
各出力トランスデューサについて、第１の入力信号の各遅延レプリカと第２の入力信号の各遅延レプリカを合計して出力信号を生成する加算器により置換され、さらに、
前記出力信号を各トランスデューサへ送る手段を含む装置。
【請求項１３６】  請求項１２４から１３０のいずれか一項に記載の方法または請求項１３１から１３５のいずれか一項に記載の装置であって、前記第１および第２の光ビームが交差する所を独立に制御することにより前記第１の信号から引き出された音波をユーザが空間内の前記第１の位置に集中できるように、前記光ビームはユーザにより独立に制御することができる方法または装置。
【請求項１３７】  請求項１２６から１３０のいずれか一項に記載の方法または請求項１３３または１３４に記載の装置であって、請求項４９の方法を使用して得られる音速値は各遅延を計算するのに使用される方法または装置。
【請求項１３８】  第１および第２の信号から発生される少なくとも１つの出力信号を制限する方法であって、前記方法は、
前記第１の信号を窓掛けすることにより前記第１の信号の連続サンプルを含む第１の窓掛部を生成するステップと、
前記第１の信号の前記窓掛部内の最大サンプルの大きさを決定するステップと、
前記第２の信号を窓掛けすることにより前記第２の信号の連続サンプルを含む第２の窓掛部を生成するステップと、
前記第２の信号の前記窓掛部内の最大サンプルの大きさを決定するステップと、
前記第１および第２の窓掛部からの前記最大サンプルを一緒に合計して第１の制御信号を得るステップと、
前記制御信号の大きさに従って前記第１および第２の信号の大きさを減衰するステップと、
前記第１および第２の信号から前記少なくとも１つの出力信号を発生するステップと、
を含む方法。
【請求項１３９】  請求項１３８に記載の方法であって、アレイ内の予め定められた数の出力トランスデューサに対する複数の出力信号が発生され、前記方法は、さらに、
アレイの各出力トランスデューサについて、各出力トランスデューサのアレイ内の位置に従って選択される各遅延だけ遅延された第１の信号の遅延レプリカを得るステップと、
アレイの各出力トランスデューサについて、各出力トランスデューサのアレイ内の位置に従って選択される各遅延だけ遅延された第２の信号の遅延レプリカを得るステップと、
前記第１の信号の各遅延レプリカと前記第２の信号の各遅延レプリカを合計して各出力トランスデューサに関する出力信号を得るステップと、
各出力信号をトランスデューサのアレイ内の別々の音響出力トランスデューサへ送るステップであって、前記予め定められた遅延はトランスデューサのアレイから出力される音波を指向するように選択されるステップと、
を含む方法。
【請求項１４０】  請求項１３９に記載の方法であって、アレイの各出力トランスデューサについて、第１の信号の遅延レプリカを得る前記ステップは、
前記第１の信号を前記予め定められた回数だけ複写して各出力トランスデューサに関するレプリカ信号を得るステップと、
各出力トランスデューサのアレイ内の位置に従って選択される予め定められた各遅延だけ前記第１の信号の各レプリカを遅延させるステップと、を含み、アレイの各出力トランスデューサについて、第２の信号の遅延レプリカを得る前記ステップは、
前記第２の信号を前記予め定められた回数だけ複写して各出力トランスデューサに関するレプリカ信号を得るステップと、
各出力トランスデューサのアレイ内の位置に従って選択される予め定められた各遅延だけ前記第２の信号の各レプリカを遅延させるステップと、
を含む方法。
【請求項１４１】  請求項１３９または１４０に記載の方法であって、前記第１の窓掛ステップは少なくとも（ｄｍａｘ１）＊ＦＳサンプルの第１の窓掛部を生成し、ｄｍａｘ１は前記第１の信号の任意のレプリカに適用される予め定められた最大遅延（秒）であり、Ｆｓは前記第１の信号のサンプリング周波数（ヘルツ）であり、前記第２の窓掛ステップは少なくとも（ｄｍａｘ２）＊ＦＳサンプルの第２の窓掛部を生成し、ｄｍａｘ２は前記第２の信号の任意のレプリカに適用される予め定められた最大遅延（秒）であり、Ｆｓは前記第２の信号のサンプリング周波数（ヘルツ）である方法。
【請求項１４２】  請求項１３８から１４１のいずれか一項に記載の方法であって、さらに、前記第１および第２の信号の大きさを減衰させる前記ステップの前に、
前記第１の信号のオーバサンプリングおよびアンチイメージ・フィルタリングステップと、
前記第２の信号のオーバサンプリングおよびアンチイメージ・フィルタリングステップと、
前記制御信号のオーバサンプリングおよびアンチイメージ・フィルタリングステップと、を含み、
前記アンチイメージ・フィルタリングステップはフィルタリングされた各信号に群遅延を導入し、前記制御信号は前記第１および第２の信号よりも少量の時間だけ遅延される方法。
【請求項１４３】  請求項１３８から１４２のいずれか一項に記載の方法であって、さらに、
前記減衰ステップの前に前記第１および第２の信号を前記制御信号に関して遅延させるステップを含む方法。
【請求項１４４】  請求項１３８から１４３のいずれか一項に記載の方法であって、さらに、
前記制御信号を平滑化するステップを含む方法。
【請求項１４５】  請求項１３８から１４４のいずれか一項に記載の方法であって、前記第１および第２の信号は前記制御信号の大きさに比例する量だけ減衰される方法。
【請求項１４６】  信号制限装置であって、
第１の信号の一連の連続サンプルを格納する第１のバッファと、
第２の信号の一連の連続サンプルを格納する第２のバッファと、
各サンプリングクロック周期で各バッファ内に格納される最大値を決定する解析手段と、
制御信号を得るように前記最大値を加算する加算器と、
前記制御信号に従った量だけ前記第１および第２の信号の各々を減衰させる減衰器と、
前記第１および第２の信号から出力信号を発生する手段と、
を含む信号制限装置。
【請求項１４７】  請求項１４６に記載の信号制限装置であって、さらに、
アレイ内の予め定められた数の出力トランスデューサに対する複数の出力信号を発生する手段と、
前記第１の信号を前記予め定められた回数だけ複写して各出力トランスデューサに関するレプリカ信号を得るレプリケータと、
前記第２の信号を前記予め定められた回数だけ複写して各出力トランスデューサに関するレプリカ信号を得るレプリケータと、
各出力トランスデューサのアレイ内の位置に従って選択される予め定められた各遅延だけ前記第１の信号の各レプリカを遅延させる遅延手段と、
各出力トランスデューサのアレイ内の位置に従って選択される予め定められた各遅延だけ前記第２の信号の各レプリカを遅延させる遅延手段と、
前記第１の信号の各遅延レプリカと前記第２の信号の各遅延レプリカを合計して各トランスデューサに関する出力信号を得る加算器と、
各々が前記加算器から各信号を受信するようにされた音響出力トランスデューサのアレイであって、前記予め定められた遅延はトランスデューサのアレイから出力された音波を指向させるように選択されている音響出力トランスデューサのアレイと、
を含む装置。
【請求項１４８】  請求項１４７に記載の信号制限装置であって、前記第１のバッファは少なくとも（ｄｍａｘ１）＊ＦＳサンプルを格納し、ｄｍａｘ１は前記第１の遅延手段により前記第１の信号の任意のレプリカに適用される予め定められた最大遅延（秒）であり、Ｆｓは前記第１の信号のサンプリング周波数（ヘルツ）であり、前記第２のバッファは少なくとも（ｄｍａｘ２）＊ＦＳサンプルを格納し、ｄｍａｘ２は前記第２の遅延手段により前記第２の信号の任意のレプリカに適用される予め定められた最大遅延（秒）であり、Ｆｓは前記第２の信号のサンプリング周波数（ヘルツ）である方法。
【請求項１４９】  請求項１４６から１４８のいずれか一項に記載の信号制限装置であって、さらに、
前記第１の信号、前記第２の信号および前記制御信号をオーバサンプリングするオーバサンプリング手段と、
前記オーバサンプリングされた第１の信号、前記オーバサンプリングされた第２の信号および前記オーバサンプリングされた制御信号のアンチイメージ・フィルタリングを行うアンチイメージ・フィルタリング手段と、を含み、
前記アンチイメージ・フィルタリング手段は前記制御信号を遅延させる量よりも大きい量だけ前記第１の信号および前記第２の信号を遅延させる信号制限装置。
【請求項１５０】  請求項１４６から１４９のいずれか一項に記載の信号制限装置であって、さらに、
減衰器の前に配置された前記第１の信号を遅延させる手段と、
減衰器の前に配置された前記第２の信号を遅延させる手段と、
を含む信号制限装置。
【請求項１５１】  請求項１４６または１５０のいずれか一項に記載の信号制限装置であって、さらに、
前記制御信号を滑らかに変化するように成形する信号成形器、を含む信号制限装置。
【請求項１５２】  請求項１４６から１５１のいずれか一項に記載の信号制限装置であって、前記減衰器は前記制御信号の大きさに比例する量だけ前記第１および前記第２の信号を減衰させる信号制限装置。
【請求項１５３】  出力トランスデューサのアレイ内の故障トランスデューサを検出する方法であって、前記方法は、
アレイの各出力トランスデューサへテスト信号を送るステップと、
出力トランスデューサの前記アレイの近くの入力トランスデューサにおいて得られた信号を解析して各出力トランスデューサが故障しているか否かを決定するステップと、
を含む方法。
【請求項１５４】  請求項１５３に記載の方法であって、各出力トランスデューサが順番にテスト信号を発する方法。
【請求項１５５】  請求項１５３に記載の方法であって、各出力トランスデューサが同時にテスト信号を発する方法。
【請求項１５６】  請求項１５４または１５５に記載の方法であって、前記テスト信号は相関関数を使用して区別できる一組の独立した擬似ランダム・ノイズ信号を含む方法。
【請求項１５７】  請求項１５３から１５６のいずれか一項に記載の方法であって、さらに、故障した任意の出力トランスデューサのミューティングを行うステップを含む方法。
【請求項１５８】  請求項１５３から１５７のいずれか一項に記載の方法であって、さらに、
各出力トランスデューサについて、前記入力信号から引き出された音波を選定された方向へ向けるように、各トランスデューサのアレイ内の位置に従って選択される各遅延だけ遅延された入力信号の遅延レプリカを得るステップと、
入力信号の遅延レプリカを各出力トランスデューサへ送るステップと、
を含む方法。
【請求項１５９】  請求項１５８に記載の方法であって、アレイの各出力トランスデューサについて、入力信号の遅延レプリカを得る前記ステップは、
前記入力信号を前記予め定められた回数だけ複写して各出力トランスデューサに関するレプリカ信号を得るステップと、
各出力トランスデューサのアレイ内の位置に従って選択される予め定められた各遅延だけ前記入力信号の各レプリカを遅延させるステップと、
を含む方法。
【請求項１６０】  請求項１５９に記載の方法であって、さらに、
各出力トランスデューサについて、各遅延レプリカと各テスト信号を合計するステップを含む方法。
【請求項１６１】  請求項１５８から１６０のいずれか一項に記載の方法であって、さらに、
前記出力トランスデューサの１つ以上がミュートされているという事実に応じて入力信号レプリカに修正を加えて故障トランスデューサの影響を最小限に抑えるステップを含む方法。
【請求項１６２】  請求項１６１に記載の方法であって、前記修正ステップは故障した出力トランスデューサに隣接する出力トランスデューサへ送られた遅延レプリカの振幅を制御するステップを含む方法。
【請求項１６３】  請求項１６２に記載の方法であって、出力トランスデューサへ送られた遅延レプリカの振幅は故障した出力トランスデューサにより近く動くにつれ遅延レプリカの振幅が減少するように制御される方法。
【請求項１６４】  請求項１５３から１６３のいずれか一項に記載の方法であって、前記テスト信号は成形された周波数スペクトルを有する方法。
【請求項１６５】  請求項１６４に記載の方法であって、前記周波数スペクトルは音声帯域の低可聴周波数に電力が配置されるように成形される方法。
【請求項１６６】  請求項１６４または１６５に記載の方法であって、前記周波数スペクトルは前記テスト信号が出力トランスデューサへ送られる信号によりマスクされるように成形される方法。
【請求項１６７】  音声信号の再生方法であって、前記方法は、
前記音声信号に関連する情報信号を復号するステップと、
前記複号ステップにおいて復号された情報信号に従って前記音声信号を処理するステップと、
前記処理された音声信号を再生するステップと、
を含む方法。
【請求項１６８】  請求項１６７に記載の方法であって、前記復号された情報信号は音場をどのように成形すべきかを表す音場成形信号である方法。
【請求項１６９】  請求項１６８に記載の方法であって、前記復号された情報信号は音声信号をどこへ向けるべきかを表す音響ビームステアリング信号である方法。
【請求項１７０】  請求項１６８に記載の方法であって、前記復号された情報信号はそこから音声信号を発するように見せるべき原点を表す信号である方法。
【請求項１７１】  請求項１６７から１７０のいずれか一項に記載の方法であって、前記処理ステップは、出力トランスデューサのアレイの各トランスデューサについて、各出力トランスデューサのアレイ内の位置に従って選択される各遅延だけ遅延された音声信号の遅延レプリカを得るステップを含む方法。
【請求項１７２】  請求項１６７から１６９のいずれか一項に記載の方法であって、前記処理された音声信号を再生する前記ステップは指向された音が前記情報信号に従って達成されるように各遅延レプリカ信号を出力トランスデューサのアレイの各出力トランスデューサへ送るステップを含む方法。
【請求項１７３】  請求項１６７から１６９のいずれか一項に記載の方法であって、前記処理された音声信号を再生する前記ステップは前記音声信号をトランスデューサへ送り指向された音が前記情報信号に従って達成されるようにそのトランスデューサを特定場所へ向けるステップを含む方法。
【請求項１７４】  請求項１７１または１７２に記載の方法であって、前記ある遅延量の各々が前記情報信号から得られる方法。
【請求項１７５】  請求項１７１または１７２に記載の方法であって、前記ある遅延量の各々がアルゴリズムを使用して計算され前記情報信号は３Ｄまたは２Ｄ座標を含む方法。
【請求項１７６】  請求項１７１または１７２に記載の方法であって、前記ある遅延量の各々がルックアップテーブルを使用して計算され前記情報信号は前記ルックアップテーブル内のアドレスを含む方法。
【請求項１７７】  請求項１７６に記載の方法であって、前記ルックアップテーブルは一組のデータ値を有するある物理的位置に関連するデータベースを含み、前記情報信号はある物理的位置を示す情報を含み、前記処理ステップは情報信号内に示されたある物理的位置に関連するルックアップテーブルのエントリから決定される量だけ前記ｎレプリカ音声信号を遅延させるステップを含む方法。
【請求項１７８】  請求項１７６または１７７に記載の方法であって、さらに、ある物理的位置と各物理的位置に対する一組のｎ遅延量間の連関を作り出すことによりルックアップテーブルを計算するステップを含み、ルックアップテーブルを計算する前記ステップは情報信号を復号する前記ステップの前に実施される方法。
【請求項１７９】  請求項１６７から１７８のいずれか一項に記載の方法であって、前記情報信号は前記音声信号と多重化される方法。
【請求項１８０】  請求項１７９に記載の方法であって、前記情報信号および前記音声信号は共にデジタル信号であり時分割多重化される方法。
【請求項１８１】  音声信号を含む音場を再生中にどのように成形すべきか判断するステップと、
前記判断の結果に従って前記情報信号を符号化するステップと、
を含む方法。
【請求項１８２】  請求項１８１に記載の方法であって、前記符号化された情報信号は音場をどのように成形すべきかを表す音場成形信号である方法。
【請求項１８３】  請求項１８２に記載の方法であって、前記符号化された情報信号は音声信号をどこへ向けるべきかを表す音響ビームステアリング信号である方法。
【請求項１８４】  請求項１８２に記載の方法であって、前記符号化された情報信号はそこから音声信号を発するように見せるべき原点を表す信号である方法。
【請求項１８５】  請求項１８１から１８４のいずれか一項に記載の方法であって、さらに、前記情報信号を前記音声信号と関連付けるステップを含む方法。
【請求項１８６】  請求項１８１から１８５のいずれか一項に記載の方法であって、前記符号化された情報信号は焦点位置すなわちシミュレートされた原点位置を表し、前記情報信号を符号化するステップは各位置を一組のｎ遅延係数にマッピングし前記情報内のｎ遅延係数を符号化するステップを含む方法。
【請求項１８７】  請求項１８１から１８５のいずれか一項に記載の方法であって、前記符号化された情報信号は焦点位置すなわちシミュレートされた原点位置を表し、前記情報信号を符号化するステップは場所符号を各位置と関連付けこの場所符号を情報信号へ符号化するステップを含む方法。
【請求項１８８】  請求項１７６，１８６または１８７のいずれか一項に記載の方法であって、前記各位置は音声信号の再生中に使用される出力トランスデューサに関して決定される方法。
【請求項１８９】  請求項１７６，１８６または１８７のいずれか一項に記載の方法であって、前記物理的場所は信号の再生中に使用される出力トランスデューサが配置される室内のスクリーンに関して決定される方法。
【請求項１９０】  音声信号を再生する装置であって、
音声信号を入力する入力端子と、
情報信号を入力する入力端子と、
情報信号を復号する手段と、
出力トランスデューサのアレイの各出力トランスデューサについて、各出力トランスデューサのアレイ内の位置および復号された情報信号に従って選択される各遅延だけ遅延された入力信号の遅延レプリカを得るようにされたレプリケータおよび遅延手段と、
前記情報信号に従って音場が達成されるように前記各遅延されたレプリカ音声信号を各出力トランスデューサへ送る手段と、
を含む音声信号再生装置。
【請求項１９１】  請求項１９０に記載の装置であって、さらに、前記音声信号入力および前記情報信号入力に接続され、音声信号および情報信号を多重化して得られる信号が装置に入力されるようにされたデマルチプレクサを含む音声信号再生装置。
【請求項１９２】  従来の出力トランスデューサドライバとインターフェイスする手段と、
複数の音声信号および複数の関連付けられた情報信号を受信する手段と、
前記情報信号を復号し前記復号の結果を使用して、従来の出力トランスデューサで所望の効果が達成されるように、前記音声信号を前記出力トランスデューサドライバへ送る手段と、
を含む復号器。
【請求項１９３】  請求項１９２に記載の復号器であって、前記出力トランスデューサがヘッド・マウンテッド・ラウドスピーカを含む場合に使用するのに適した復号器。
【請求項１９４】  出力トランスデューサのアレイにより作り出したい音場を設計する方法であって、前記方法は、
実質的に均一なカバレージが所望されるエリアを識別するステップと、
特定の周波数帯域内の最小カバレージが所望されるエリアを識別するステップと、
重要度の順で前記識別に優先順位を付けるステップと、
第２優先順位の試みられた達成が第１優先順位の達成を損なう量を識別するステップと、
出力トランスデューサの前記アレイについて、指向性音場が得られるように各出力トランスデューサへ送られた入力信号をフィルタリングするのに使用される係数を選択するステップであって、音場は第１の優先順位が実際的な制約の中で達成され第２の優先順位の実際的な達成は識別された量によってのみ第１の優先順位の達成を損なうステップと、
を含む方法。
【請求項１９５】  音場を作り出す方法であって、前記方法は、
各出力トランスデューサについて、請求項１９４の方法に従って選定される各遅延だけ遅延された入力信号の遅延レプリカを得るステップと、
入力信号の遅延レプリカを各出力トランスデューサへ送るステップと、
を含む方法。
【請求項１９６】  請求項１９５に記載の方法であって、前記得るステップは、
前記入力信号を予め定められた回数だけ複写して各出力トランスデューサに関する入力信号のレプリカを得るステップと、
入力信号の各レプリカを前記各遅延だけ遅延させるステップと、
を含む方法。
【請求項１９７】  請求項１９４から１９６のいずれか一項に記載の方法であって、前記エリアは入力トランスデューサをそのエリア内に配置し請求項４８から６９のいずれか一項に記載の方法を使用して入力トランスデューサの位置を検出して識別される方法。
【請求項１９８】  請求項１９４から１９７のいずれか一項に記載の方法であって、前記選定遅延は入力信号の各周波数成分に対して一般的に異なる遅延が生成されるようにフィルタ係数を選定して選択される方法。
【請求項１９９】  請求項１から６９，７７から９５，１０１から１２３，１２６から１３０，１３３から１３５，１３９から１４１，１４７，１４８，１５３から１６６，１７１，１７２，１７４から１７８，または１９４から１９８のいずれか一項に記載の方法または装置であって、出力トランスデューサの前記アレイは２次元平面内に出力トランスデューサの正規パターンを含む方法または装置。
【請求項２００】  請求項１９９に記載の方法または装置であって、前記各出力トランスデューサが前記２次元平面に直角な出力の主要方向を有する方法または装置。
【請求項２０１】
請求項１９９または２００に記載の方法または装置であって、前記２次元平面は曲面である方法または装置。
【請求項２０２】  請求項１から６９、７７から９５、１０１から１２３、１２６から１３０、１３３から１３５、１３９から１４１、１４７、１４８、１５３から１６６、１７１、１７２、１７４から１７８、または１９４から２０１のいずれか一項に記載の方法または装置であって、前記出力トランスデューサの各々がデジタル電力増幅器により駆動される方法または装置。
【請求項２０３】  請求項１から６９、７７から９５、１０１から１２３、１２６から１３０、１３３から１３５、１３９から１４１、１４７、１４８、１５３から１６６、１７１、１７２、１７４から１７８、または１９４から２０２のいずれか一項に記載の方法または装置であって、出力トランスデューサの前記アレイのトランスデューサにより出力される信号の振幅は音場をより正確に成形するように制御される方法または装置。
【請求項２０４】  請求項１から６９、７７から９５、１０１から１２３、１２６から１３０、１３３から１３５、１３９から１４１、１４７、１４８、１５３から１６６、１７１、１７２、１７４から１７８、または１９４から２０３のいずれか一項に記載の方法または装置であって、信号は遅延される前にオーバサンプリングされる方法または装置。
【請求項２０５】  請求項１から６９、７７から９５、１０１から１２３、１２６から１３０、１３３から１３５、１３９から１４１、１４７、１４８、１５３から１６６、１７１、１７２、１７４から１７８、または１９４から２０４のいずれか一項に記載の方法または装置であって、信号は複写される前にノイズ成形される方法または装置。
【請求項２０６】  請求項１から６９、７７から９５、１０１から１２３、１２６から１３０、１３３から１３５、１３９から１４１、１４７、１４８、１５３から１６６、１７１、１７２、１７４から１７８、または１９４から２０５のいずれか一項に記載の方法または装置であって、信号はアレイの各出力トランスデューサへ送られる前にＰＷＭ信号へ変換される方法または装置。
【請求項２０７】  請求項２０３に記載の方法または装置であって、前記制御はアレイの周辺回りのトランスデューサへ送られる出力信号の振幅を低減するようなものである方法または装置。
【請求項２０８】  請求項２０８に記載の方法または装置であって、前記制御はガウス曲線やｒａｉｓｅｄ  ｃｏｓｉｎｅ  ｃｕｒｖｅ等の予め定められた関数に従ってトランスデューサへ送られる出力信号の振幅を低減するようなものである方法または装置。
【請求項２０９】  請求項１から１２３、１２６から１３０、１３３から１３５、１３９から１４１、１４７、１４８、１５３から１６６，１７１、１７２、１７４から１７８、または１９４から２０８のいずれか一項に記載の方法または装置であって、前記各トランスデューサは一群の個別トランスデューサを含む方法または装置。
【請求項２１０】  請求項１から１２３、１２６から１３０、１３３から１３５、１３９から１４１、１４７、１４８、１５３から１６６，１７１、１７２、１７４から１７８、または１９４から２０９のいずれか一項に記載の方法または装置であって、各出力トランスデューサの前に線型または非線形補償器が設けられてそこへ送られる信号を出力トランスデューサ内の欠陥に応じて調節する方法または装置。
【請求項２１１】  請求項２１０に記載の方法または装置であって、前記補償器は複写される前に入力信号を補償するための線形補償器である方法または装置。
【請求項２１２】  請求項２０９または２１０に記載の方法または装置であって、前記補償器は指向方向の角度に従って高周波成分がブーストされるように音場形状に従って適応可能である線形補償器である方法または装置。
【請求項２１３】  請求項４８から６９のいずれか一項に記載の方法または装置であって、出力トランスデューサの前記アレイはその２面の両方に音場を作り出し、前記マイクロホン位置は一部入力トランスデューサにおいて受信される信号の極性を解析して確立される方法または装置。
【請求項２１４】  請求項１から１２３、１２６から１３０、１３３から１３５、１３９から１４１、１４７、１４８、１５３から１６６，１７１、１７２、１７４から１７８、または１９４から２１３のいずれか一項に記載の方法または装置であって、音場の変化を徐々に制御する手段が設けられる方法または装置。
【請求項２１５】  請求項２１４に記載の方法または装置であって、前記手段は信号遅延がサンプルを複写することにより徐々に増加するまたはサンプルをスキップすることにより徐々に減少するように動作する方法または装置。
【請求項２１６】  請求項１から１２３、１２６から１３０、１３３から１３５、１３９から１４１、１４７、１４８、１５３から１６６，１７１、１７２、１７４から１７８、または１９４から２１５のいずれか一項に記載の方法または装置であって、音場指向性はシステムへの信号入力に基づいて変えられ出力トランスデューサのアレイにより出力される方法または装置。
【請求項２１７】  請求項１から１２３、１２６から１３０、１３３から１３５、１３９から１４１、１４７、１４８、１５３から１６６，１７１、１７２、１７４から１７８、または１９４から２１６のいずれか一項に記載の方法または装置であって、出力トランスデューサの多数のアレイが設けられ共有コントローラにより制御される方法または装置。
【請求項２１８】  請求項３０から４７のいずれか一項に記載のキャンセルされる信号を得る方法であって、出力トランスデューサまたは全体アレイのインパルス応答を得、このインパルス応答を使用して入力信号をフィルタリングしてキャンセルされる信号を作り出す方法。
【請求項２１９】  請求項２１８に記載の方法であって、インパルス応答はテスト信号を使用して決定される方法。
【請求項２２０】  請求項２１８または２１９に記載の方法であって、ヌル信号を出力しているトランスデューサのインパルス応答はトランスデューサインパルス応答に対する逆たたみ込みを使用して補償される方法。
【請求項２２１】  請求項２１８に記載の方法であって、インパルス応答は前記入力信号に加えられる遅延および／またはフィルタおよび各トランスデューサからヌルポイントまでの通過時間に基づいて決定される方法。
【請求項２２２】  請求項２２１に記載の方法であって、アレイトランスデューサのインパルス応答は全体インパルス応答を計算する時に考慮される方法。
【請求項２２３】  請求項２２２に記載の方法であって、アレイのトランスデューサに対するインパルス応答はトランスデューサおよびヌルポイントの角度に従って計算される方法。
【請求項２２４】  多数の音声入力から引き出される音波を出力トランスデューサのアレイを使用して、それぞれ、特定の方向へ向ける方法であって、前記方法は各音声入力に対して、
各出力トランスデューサについて、音声入力信号の遅延レプリカを得るステップであって、レプリカ信号は各トランスデューサのアレイ内の位置およびその音声入力信号に対する特定の方向に従って選択される時間遅延だけ遅延されていて前記音声入力信号から引き出された音波を前記特定の方向へ向けるようにされているステップと、
同じ出力トランスデューサへ向けられた遅延レプリカ信号を加算するステップと、
個別の音声入力が異なる方向へ向けられるように加算された遅延レプリカを各出力トランスデューサへ送るステップと、
を含む方法。
【請求項２２５】  請求項２２４に記載の方法であって、さらに、各音声入力信号に対して、
各トランスデューサからの音波の同じ時間部分が前記方向に進む表面を形成するように、各トランスデューサへ送られるレプリカに対する各遅延を引き出す、ことにより、
前記遅延ステップの前に、各レプリカ信号に関する各遅延を計算するステップを含む方法。
【請求項２２６】  請求項２２４に記載の方法であって、さらに、各音声入力信号に対して、
各出力トランスデューサと前記方向に位置する空間内の第１の位置との間の距離を求め、
前記音声入力信号から引き出された各トランスデューサからの音波が空間内の前記位置に実質的に同時に到達するように各遅延を引き出す、ことにより、
前記遅延ステップの前に、各レプリカに関する各遅延を計算するステップを含む方法。
【請求項２２７】  請求項２２４から２２６のいずれか一項に記載の方法であって、前記方向は、さらに、
前記多数の音声信号の各々に関連付けられた各情報信号を復号するステップと、
前記復号ステップにおいて復号された関連する情報信号に従って前記遅延レプリカ信号を得るステップと、
を含む方法。
【請求項２２８】  請求項２２７に記載の方法であって、前記復号された情報信号は音場をどのように成形すべきかを表す音場成形信号である方法。
【請求項２２９】  請求項２２７に記載の方法であって、前記復号された情報信号は音声信号をどこへ向けるべきかを表す音ビームステアリング信号である方法。
【請求項２３０】  請求項２２７に記載の方法であって、前記復号された情報信号は音声信号がそこから発するように見せるべき原点を表す信号である方法。
【請求項２３１】  請求項２２７から２３０のいずれか一項に記載の方法であって、前記各遅延量は前記情報信号から得られる方法。
【請求項２３２】  請求項２２７から２３０のいずれか一項に記載の方法であって、前記各遅延量はアルゴリズムを使用して計算され、前記情報信号は３Ｄまたは２Ｄ座標を含む方法。
【請求項２３３】  請求項２２７から２３０のいずれか一項に記載の方法であって、前記各遅延量はルックアップテーブルを使用して計算され、前記情報信号は前記ルックアップテーブル内のアドレスを含む方法。
【請求項２３４】  請求項２３３に記載の方法であって、前記ルックアップテーブルはある物理的位置を一組の遅延値と関連付けるデータベースを有し、前記情報信号はある物理的位置を示す情報を含み、前記遅延レプリカ信号を得るステップは情報信号内に示されたある物理的位置に関連するルックアップテーブル内へのエントリから決定される量だけ前記レプリカ音声信号を遅延させるステップを含む方法。
【請求項２３５】  請求項２３３または２３４に記載の方法であって、さらに、ある物理的位置と各物理的位置に対する一組のｎの遅延量間の連関を作り出してルックアップテーブルを計算するステップを含み、ルックアップテーブルを計算する前記ステップは情報信号を復号する前記ステップの前に実施される方法。
【請求項２３６】  請求項２３１に記載の方法であって、前記情報信号は焦点位置すなわちシミュレートされた原点位置を表し、前記方法は、さらに、各位置を一組のｎの遅延係数にマッピングし前記情報信号内のｎの遅延係数を符号化することにより前記情報信号を符号化するステップを含む方法。
【請求項２３７】  請求項２３２に記載の方法であって、前記情報信号は焦点位置すなわちシミュレートされた原点位置を表し、前記方法は、さらに、場所符号を各位置に関連付けることにより前記情報信号を符号化しこの場所符号を情報信号に符号化するステップを含む方法。
【請求項２３８】  請求項２３４から２３７のいずれか一項に記載の方法であって、前記各位置は音声信号の再生中に使用される出力トランスデューサに関して決定される方法。
【請求項２３９】  請求項２２４から２３８のいずれか一項に記載の方法であって、前記特定の方向または物理的位置は、信号の再生中に使用される出力トランスデューサを含む室内に配置されたスクリーンに対して決定される方法。
【請求項２４０】  請求項２２４から２３９のいずれか一項に記載の方法であって、出力トランスデューサの前記アレイは２次元平面内に出力トランスデューサの規則正しいパターンを含む方法。
【請求項２４１】  請求項２４０に記載の方法であって、前記各出力トランスデューサが前記２次元平面内に直角な主要出力方向を有する方法。
【請求項２４２】  請求項２２４から２４１のいずれか一項に記載の方法であって、前記各出力トランスデューサがデジタル電力増幅器により駆動される方法。
【請求項２４３】  請求項２２４から２４２のいずれか一項に記載の方法であって、出力トランスデューサの前記アレイのトランスデューサから出力される信号の振幅は音場をより正確に成形するように制御される方法。
【請求項２４４】  請求項２２４から２４３のいずれか一項に記載の方法であって、信号は遅延される前にオーバーサンプルされる方法。
【請求項２４５】  請求項２２４から２４４のいずれか一項に記載の方法であって、信号は複写される前にノイズ成形される方法。
【請求項２４６】  請求項２２４から２４５のいずれか一項に記載の方法であって、信号はアレイの各出力トランスデューサへ送られる前にＰＷＭ信号へ変換される方法。
【請求項２４７】  請求項２２４から２４６のいずれか一項に記載の方法であって、さらに、アレイの周辺回りのトランスデューサへ与えられる出力信号の振幅を低減するステップを含む方法。
【請求項２４８】  請求項２４７に記載の方法であって、出力信号の前記振幅はガウス曲線またはｒａｉｓｅｄ  ｃｏｓｉｎｅ  ｃｕｒｖｅ等の予め定められた関数に従ってトランスデューサへ与えられる出力信号の振幅を低減するように制御される方法。
【請求項２４９】  請求項２２４から２４８のいずれか一項に記載の方法であって、前記各出力トランスデューサが一群の個別トランスデューサを含む方法。
【請求項２５０】  請求項２２４から２４９のいずれか一項に記載の方法であって、線型または非線形補償器が設けられて各出力トランスデューサへ送られる信号を出力トランスデューサ内の欠陥に応じて調節する方法。
【請求項２５１】  請求項２５０に記載の方法であって、前記補償器は複写される前に入力信号を補償するための線形補償器である方法。
【請求項２５２】  請求項２５０または２５１に記載の方法であって、前記補償器は指向される角度に従って高周波成分がブーストされるように音場形状に従って適応可能である方法。
【請求項２５３】  請求項２２４から２５２のいずれか一項に記載の方法であって、各音声入力は１つ以上の音声チャネルを含む方法。
【請求項２５４】  請求項２５３に記載の方法であって、各音声入力はマルチチャネルステレオまたはサラウンド音声信号を表す方法。
【請求項２５５】  多数の音声入力から引き出された音波を特定の方向へ向ける装置であって、前記装置は、
出力トランスデューサのアレイと、
各出力トランスデューサについて、各音声入力信号の遅延レプリカを得る複写および遅延手段であって、遅延レプリカは各音声入力信号から引き出された音波が実質的にその各方向へ向けられるように各出力トランスデューサのアレイ内の位置および前記特定の方向に従って選択される各遅延だけ遅延される複写および遅延手段と、
同じ出力トランスデューサへ向けられた遅延レプリカを一緒に加算する手段と、
個別の音声入力が異なる方向へ向けられるように、加算された遅延レプリカを
各出力トランスデューサへ送る手段と、
を含む装置。
【請求項２５６】  請求項２５５に記載の装置であって、前記複写および遅延手段は、
各音声入力信号を前記予め定められた回数だけ複写して各出力トランスデューサに関するレプリカ信号を得る手段と、
各出力トランスデューサのアレイ内の位置および特定の方向に従って選択される前記各遅延だけ指向される各信号の各レプリカを遅延させる手段と、
を含む装置。
【請求項２５７】  請求項２５５に記載の装置であって、さらに、
各トランスデューサからの音波の同じ時間部分が前記方向に進む表面を一緒に形成するように、各トランスデューサへ送られるレプリカに対する各遅延を引き出すことにより、
各音声入力信号について前記遅延ステップの前に、各レプリカに関する各遅延を計算する手段を含む装置。
【請求項２５８】  請求項２５５に記載の装置であって、さらに、
各出力トランスデューサと前記方向に位置する空間内の第１の位置との間の距離を求め、
前記音声信号から引き出された各トランスデューサからの音波の同じ時間部分が空間内の前記位置に実質的に同時に到達するように各遅延を引き出す、ことにより、
各音声入力信号について前記遅延ステップの前に、各レプリカに関する各遅延を計算する手段を含む装置。
【請求項２５９】  請求項２５５から２５８のいずれか一項に記載の装置であって、さらに、
前記多数の音声信号を入力する入力端子と、
情報信号を入力する入力端子と、
情報信号を復号する手段と、を含み、
前記装置は達成される音場が前記情報信号に従うように構成される装置。
【請求項２６０】  請求項２５５から２５９のいずれか一項に記載の装置であって、出力トランスデューサの前記アレイは２次元平面内に出力トランスデューサの規則正しいパターンを含む装置。
【請求項２６１】  請求項２６０に記載の装置であって、前記各出力トランスデューサが前記２次元平面内に直角な主要出力方向を有する装置。
【請求項２６２】  請求項２５５から２６１のいずれか一項に記載の装置であって、前記各出力トランスデューサがデジタル電力増幅器により駆動される装置。
【請求項２６３】  請求項２５５から２６２のいずれか一項に記載の装置であって、出力トランスデューサの前記アレイのトランスデューサから出力される信号の振幅は音場をより正確に成形するように制御される装置。
【請求項２６４】  請求項２５５から２６３のいずれか一項に記載の装置であって、さらに、信号を遅延される前にオーバーサンプルする手段を含む装置。
【請求項２６５】  請求項２５５から２６４のいずれか一項に記載の装置であって、さらに、信号を複写される前にノイズ成形する手段を含む装置。
【請求項２６６】  請求項２５５から２６５のいずれか一項に記載の装置であって、さらに、信号をアレイの各出力トランスデューサへ送られる前にＰＷＭ信号へ変換する手段を含む装置。
【請求項２６７】  請求項２６３に記載の装置であって、さらに、アレイの周辺回りのトランスデューサへ与えられる出力信号の振幅を低減する手段を含む装置。
【請求項２６８】  請求項２６７に記載の装置であって、トランスデューサへ与えられる出力信号の振幅はガウス曲線またはｒａｉｓｅｄ  ｃｏｓｉｎｅ  ｃｕｒｖｅ等の予め定められた関数に従って低減される装置。
【請求項２６９】  請求項２５５から２６８のいずれか一項に記載の装置であって、前記各トランスデューサが一群の個別トランスデューサを含む装置。
【請求項２７０】  請求項２５５から２６９のいずれか一項に記載の装置であって、各出力トランスデューサの前に線型または非線形補償器が設けられてそこへ送られる信号を調節し出力トランスデューサ内の欠陥を償う装置。
【請求項２７１】  請求項２７０に記載の装置であって、前記補償器は複写される前に入力信号を補償するための線形補償器である装置。
【請求項２７２】  請求項２７０または２７１に記載の装置であって、前記補償器は指向される角度に従って高周波成分がブーストされるように音場形状に従って適応可能である装置
【請求項２７３】  請求項２７０から２７２のいずれか一項に記載の装置であって、各音声入力は１つ以上の音声チャネルを含む装置。
【請求項２７４】  請求項２７３に記載の装置であって、各音声入力はマルチチャネルステレオまたはサラウンド音声信号を表す装置。